(57)【要約】  立体視眼鏡を提供し、レンズ（1）、ブラケット（2）及び仕切り板（3）を備え、ブラケット（2）は頂面（201）及び側面（202、203）を備え、ブラケット（2）の頂面（201）と側面（202、203）は組み合わせてチャンバを形成し、仕切り板（3）はチャンバ内に固定され、チャンバを2つの独立のスペース（4）に仕切り、仕切り板（3）の底辺とチャンバの底部との間には端末の収容空間（5）が設けられ、チャンバには端末を操作する操作穴（6）が設けられ、頂面（201）には2つの取付孔（7）が設けられ、2つの取付孔（7）はそれぞれ仕切り板（3）の両側に位置して2つの独立のスペース（4）に連通し、且ついずれもレンズ（1）が取付けられる。携帯電話の立体画面を見る際に、携帯電話の手動操作を実現することができる。【選択図】図1
2017531822.tif 000002
【特許請求の範囲】
【請求項１】
レンズ、ブラケット及び仕切り板を備え、
前記ブラケットは頂面及び側面を備え、前記ブラケットの頂面と側面はチャンバを形成し、
前記仕切り板は前記チャンバ内に固定され、前記チャンバを2つの独立のスペースに仕切り、前記仕切り板の底辺と前記チャンバの底部との間には端末の収容空間が設けられ、前記チャンバには前記端末に対する操作穴が設けられ、前記頂面には2つの取付孔が設けられ、前記2つの取付孔はそれぞれ前記仕切り板の両側に位置して、前記2つの独立のスペースに連通し、
前記2つの取付孔にはいずれも前記レンズが取付けられている、立体視眼鏡。
【請求項２】
前記ブラケットは底面を更に備え、前記ブラケットの頂面、側面及び底面は組合わせて前記操作穴を有するチャンバを形成している、請求項1に記載の立体視眼鏡。
【請求項３】
前記ブラケットは2つの対向する側面を備え、前記チャンバの密封しない他の側面は前記端末に対する操作穴を形成し、又は
前記ブラケットは3つの側面を備え、前記チャンバの密封しない他の側面は前記端末に対する操作穴を形成している、請求項1に記載の立体視眼鏡。
【請求項４】
前記ブラケットの両側面にはそれぞれ折り目が設けられ、前記折り目の一側の両側面の底端は互いに係合して前記ブラケットの底面を形成し、前記折り目の他側の両側面は前記ブラケットの底部に対して垂直になっており、且つ前記他側の両側面の頂端は前記頂面に固定されている、請求項3に記載の立体視眼鏡。
【請求項５】
前記ブラケットの側面は一体成形されている、請求項3に記載の立体視眼鏡。
【請求項６】
前記ブラケットの両側面のうちの一側面の底端にはL形の突起が設けられ、前記ブラケットの両側面のうちの他側面の底端には第1開口が設けられ、前記L形の突起は前記第1開口内に挿入して固定されている、請求項4に記載の立体視眼鏡。
【請求項７】
前記ブラケットの側面の頂端には第1突起が垂直に設けられ、前記頂面には第2開口が設けられ、前記第1突起は前記第2開口内に挿入して固定されている、請求項1〜6のいずれか1項に記載の立体視眼鏡。
【請求項８】
前記仕切り板の両側辺には第2突起が設けられ、前記ブラケットの側面には第3開口が設けられ、前記第2突起は前記第3開口内に挿入して固定されている、請求項1〜6のいずれか1項に記載の立体視眼鏡。
【請求項９】
前記ブラケットと仕切り板の材料はダンボールである、請求項1〜6のいずれか1項に記載の立体視眼鏡。
【請求項１０】
前記ブラケット及び仕切り板は前記端末のパッケージが裁断されたものである、請求項1〜6のいずれか1項に記載の立体視眼鏡。
【発明の詳細な説明】
【技術分野】
【０００１】
本発明は立体視眼鏡に関する。
【背景技術】
【０００２】
従来、携帯電話に表示される立体写真及び立体ビデオを見る方式は主に、裸眼3D技術及びグーグルのボックス眼鏡であり、裸眼3D技術を利用する立体ピクチャは解像度が高くなく、目の前に表示された画面が小さく、視覚効果が理想ではなく、グーグルのボックス眼鏡は密封式のケースであり、携帯電話をケース内の密封チャンバに置き、これによりユーザは携帯電話を見る時に携帯電話を操作できなくなり、そして該ボックスと携帯電話はそれぞれ独立の2種の製品であり、携帯電話と共に輸送されることができない。
【発明の概要】
【発明が解決しようとする課題】
【０００３】
本発明は携帯電話の立体画面を見る時に手動で携帯電話を操作できる立体視眼鏡を提供することを目的とする。
【課題を解決するための手段】
【０００４】
上記技術課題を解決するために、下記技術的解決手段を採用する。
【０００５】
本発明が採用する技術的解決手段については、立体視眼鏡であって、レンズ、ブラケット及び仕切り板を備え、前記ブラケットは頂面及び側面を備え、前記ブラケットの頂面と側面は、組合わせてチャンバを形成し、前記仕切り板は、前記チャンバ内に固定され、前記チャンバを2つの独立のスペースに仕切り、前記仕切り板の底辺と前記チャンバの底部との間には端末の収容空間が設けられ、前記チャンバには前記端末に対する操作穴が設けられ、前記頂面には2つの取付孔が設けられ、前記2つの取付孔はそれぞれ前記仕切り板の両側に位置して、前記2つの独立のスペースに連通し、且ついずれも前記レンズが取付けられる。
【０００６】
選択的に、前記ブラケットは底面を更に備え、前記ブラケットの頂面、側面及び底面は、組合わせて前記操作穴を有するチャンバを形成する。
【０００７】
選択的に、前記ブラケットは2つの対向する側面を備え、前記チャンバの密封しない他の側面は前記端末に対する操作穴を形成し、又は
前記ブラケットは3つの側面を備え、前記チャンバの密封しない他の側面は前記端末に対する操作穴を形成する。
【０００８】
選択的に、前記ブラケットの両側面にはそれぞれ折り目が設けられ、前記折り目の一側の両側面の底端は互いに係合して前記ブラケットの底面を形成し、前記折り目の他側の両側面は前記ブラケットの底部に垂直にし、且つ前記他側の両側面の頂端は前記頂面に固定されている。
【０００９】
選択的に、前記ブラケットの側面は一体成形されている。
【００１０】
選択的に、前記ブラケットの両側面のうちの一側面の底端にはL形の突起が設けられ、前記ブラケットの両側面のうちの他側面の底端には第1開口が設けられ、前記L形の突起は前記第1開口内に挿入して固定されている。
【００１１】
選択的に、前記ブラケットの側面の頂端には第1突起が垂直に設けられ、前記頂面には第2開口が設けられ、前記第1突起は前記第2開口内に挿入して固定されている。
【００１２】
選択的に、前記仕切り板の両側辺には第2突起が設けられ、前記ブラケットの側面には第3開口が設けられ、前記第2突起は前記第3開口内に挿入して固定されている。
【００１３】
選択的に、前記ブラケットと仕切り板の材料はダンボールである。
【００１４】
選択的に、前記ブラケット及び仕切り板は前記端末のパッケージが裁断されたものである。
【発明の効果】
【００１５】
本発明の技術的解決手段は下記有益な効果を有する。
【００１６】
本発明の技術的解決手段による眼鏡は、携帯電話自体のパッケージからなり、即ち携帯電話のパッケージにおいて眼鏡の構造に従って、予め切り目をパンチングし、ユーザはパッケージを開けた後に切り目に沿ってパッケージを分割して、眼鏡の部品を取得して、部品を携帯電話に適合する立体視眼鏡に組み立てて形成することができ、パッケージの輸送が便利であり、裁断、組み立てにより眼鏡を速く形成することができる。
【００１７】
本発明の技術的解決手段による眼鏡のブラケットには操作穴が設けられ、使用する時、ユーザは操作穴により携帯電話を操作し、例えばギャラリーに入り、スライドすることによりピクチャを選択する等のことができ、着信がある場合でも、眼鏡内から携帯電話を便利で速く取り出すことができ、ユーザは電話に出ることに便利である。
【００１８】
本発明の技術的解決手段における仕切り板はブラケットの側面を固定し、左右眼の視野を仕切り、及び携帯電話のスクリーンを固定する機能を有し、左右フォーマットピクチャ中間を対照する分割線の機能を更に有し、これにより眼鏡の取付は正確である。
【図面の簡単な説明】
【００１９】
【図１】図1は本発明の実施例による立体視眼鏡と携帯電話との接続の構造模式図である。
【図２】図2は本発明の実施例による立体視眼鏡の構造模式図である。
【図３】図3は本発明の実施例による立体視眼鏡の分解立体図である。
【図４】図4は本発明の実施例による立体視眼鏡の両側面の構造模式図である。
【図５】図5は本発明の実施例による立体視眼鏡の両側面の構造模式図である。
【図６】図6は本発明の実施例における仕切り板の構造模式図である。
【図７】図7は本発明の実施例におけるブラケットの頂面の構造模式図である。
【発明を実施するための形態】
【００２０】
以下、図面を参照しながら本発明の実施例を詳しく説明する。なお、衝突しない場合に、本願における実施例及び実施例における特徴を互いに任意に組み合わせることができる。
【００２１】
図1〜図3に示す実施例のように、立体視眼鏡であって、レンズ1、携帯電話のパッケージが裁断されたブラケット2、仕切り板3を備え、前記ブラケットと仕切り板の材料はダンボールであり、前記ブラケット2は頂面201、側面及び底面204を備え、前記ブラケットの頂面201、側面及び底面204は組合わせてチャンバを形成し、仕切り板3は、該チャンバ内に固定されて、該チャンバの底部に対して垂直になっており、チャンバを2つの独立のスペース4に仕切り、仕切り板3の底辺とチャンバの底部との間には端末の収容空間5が設けられ、収容空間5は端末、例えば携帯電話の固定と取付のためのものであり、図1〜図3に示すように、前記ブラケットは対向する両側面を備え、U形を呈し、前記チャンバの密封しない他の側面は前記端末の操作穴6を形成し、前記操作穴6はそれぞれ前記2つの独立のスペース5に連通し、前記頂面201には2つの取付孔7が設けられ、前記2つの取付孔7は前記仕切り板3の両側に位置して、それぞれ前記2つの独立のスペース5に連通し、前記レンズ1は前記取付孔内に固定される。
【００２２】
図2〜図5に示すように、ブラケットは対向する両側面を備え、U形を呈し、U形の側面のポートには頂面201が固定され、U形の側面は一体成形されてもよく、第1側面202と第2側面203を備えてもよく、第1側面202と第2側面203内にはそれぞれ側面全体の幅にわたる直線折り目205が設けられ、第1側面202の折り目側での部分の底端にはL形の突起206が設けられ、第2側面203の折り目側での部分の底端にはL形の突起206に対応して第1開口207が設けられ、L形の突起206は第1開口207内に挿入して係合してブラケットの底面204を形成し、第1側面202と第2側面203の折り目の他側での部分はブラケットの底面204に垂直にし、且つ第1側面202と第2側面203の折り目の他側での部分の頂端には垂直に第1突起209が設けられ、第1突起209は軸対称の六角形であり、第1側面202と第2側面203の頂端にはそれぞれ2つの第1突起209が設けられ、頂面201の両側には垂直で下に向く矩形の突起が設けられ、該矩形の突起と頂面201の両側との間の折り目には、それぞれ2つの第2開口208が設けられ、第1突起209は第2開口208内に挿入して係合する。
【００２３】
図6に示すように、仕切り板3は矩形であり、その両側にはそれぞれ2つの第2突起301が設けられ、ブラケットの第1側面202と第2側面203内にはそれぞれ対応的に第3開口210が設けられ、第2突起301は第3開口210内に挿入して固定される。
【００２４】
図7に示すように、頂面201の両側には垂直で下に向く矩形の突起が設けられ、該矩形の突起と頂面201の両側との間の折り目には、それぞれ2つの第2開口208が設けられ、頂面201の表面には対称的に2つの取付孔7が設けられ、取付孔7内にはレンズ1が設けられ、2つのレンズ1の焦点距離はレンズ1からスクリーンまでの距離に関り、一般的には略等しいであり、通常の焦点距離は8〜10cmであり、レンズ1と取付孔7との間には両面テープで固定してもよく、他の固定方式で固定してもよい。
【００２５】
本発明の実施例ではレンズ1を取付ける時に、携帯電話のスクリーンと一定の距離を保持する必要があり、人の両眼は2つのレンズ1を介して、携帯電話のスクリーンにおける左右フォーマットの立体ピクチャ及びビデオを見ており、本発明の実施例における各部品の間の接続は磁石又は面ファスナーで接続されてもよい。
【００２６】
上記は本発明に開示された実施形態であるが、本発明をよく理解するために採用した実施形態だけであり、本発明を制限するためのものではない。本発明に開示された精神及び範囲を逸らさない前提で、当業者は実施の形態及び細部にいかなる改善と変更を行うことができるが、本発明の特許保護範囲は付属する特許請求の範囲に規定する範囲に準じる。
【産業上の利用可能性】
【００２７】
本発明の技術的解決手段による眼鏡は、携帯電話自体のパッケージからなり、即ち携帯電話のパッケージにおいて眼鏡の構造に従って、予め切り目をパンチングし、ユーザはパッケージを開けた後に切り目に沿ってパッケージを分割して、眼鏡の部品を取得して、部品を携帯電話に適合する立体視眼鏡に組み立てて形成することができ、パッケージの輸送が便利であり、裁断、組み立てにより眼鏡を速く形成することができる。
【００２８】
本発明の技術的解決手段による眼鏡のブラケットには操作穴が設けられ、使用する時、ユーザは操作穴により携帯電話を操作し、例えばギャラリーに入り、スライドすることによりピクチャを選択する等のことができ、着信がある場合でも、眼鏡内から携帯電話を便利で速く取り出すことができ、ユーザは電話に出ることに便利である。
【００２９】
本発明の技術的解決手段における仕切り板はブラケットの側面を固定し、左右眼の視野を仕切り、及び携帯電話のスクリーンを固定する機能を有し、左右フォーマットピクチャを対照する中間分割線の機能を更に有し、これにより眼鏡の取付は正確である。従って、本発明は高い産業上の利用可能性を有する。
【図１】
2017531822.tif 000003
【図２】
2017531822.tif 000004
【図３】
2017531822.tif 000005
【図４】
2017531822.tif 000006
【図５】
2017531822.tif 000007
【図６】
2017531822.tif 000008
【図７】
2017531822.tif 000009
【国際調査報告】
2017531822.tif 000010
2017531822.tif 000011
2017531822.tif 000012
2017531822.tif 000013